(57)【特許請求の範囲】
【請求項１】
プロトコル制御手段ＰＣとアクセス制御手段ＣＣとが含まれ、ルート制御手段ＲＣが欠けているネットワーク素子によるルート照会を実現するための自動交換光ネットワークのルート照会方法において、
（１）前記のＲＣが欠けているネットワーク素子ＮＥ１は、本ネットワーク素子ＣＣがルートを照会することが必要である時に、ルート照会要求シグナリングをリモートネットワーク素子ＮＥ２に送信し、
（２）前記のネットワーク素子ＮＥ２はルート照会要求に基づいてルート結果を取得し、ルート結果シグナリングによって前記のルート照会要求を発したネットワーク素子ＮＥ１にルート結果を返送し、
（３）ネットワーク素子ＮＥ１のＰＣがルート結果シグナリングを受信した後、ルート結果を本ネットワーク素子ＣＣに返送するステップを含むことを特徴とする自動交換光ネットワークのルート照会方法。
【請求項２】
前記のステップ（１）は、前記のネットワーク素子ＮＥ１は、ＣＣはルートを照会することが必要であると判断する時に、ＣＣによりルート照会要求シグナリングを作成し、当該ネットワーク素子ＮＥ１のＰＣによって、リモートネットワーク素子ＮＥ２に前記のルート照会要求シグナリングを送信することを含むことを特徴とする請求項１に記載の自動交換光ネットワークのルート照会方法。
【請求項３】
前記のリモートネットワーク素子ＮＥ２は、ＲＣとＰＣと自動交換光ネットワークＡＳＯＮの完全なルート情報を有するルートデータベースＲＤＢとを備えると、前記のステップ（２）は、前記のＮＥ２のＰＣはルート照会要求シグナリングを受信した後に、当該シグナリングをＮＥ２のＲＣに転送し、前記のＮＥ２のＲＣは、ルート照会要求に従い、ルートアルゴリズムをコールし、ＮＥ２のＲＤＢに基づいてルート演算を行い、ルート演算結果シグナリングを作成し、ＮＥ２のＰＣによって、ルート照会要求を発したＮＥ１に当該ルート演算結果シグナリングを返送することを含むことを特徴とする請求項１に記載の自動交換光ネットワークのルート照会方法。
【請求項４】
前記のステップ（２）は、前記のＮＥ２のＲＣはルート演算を行った後に、ルートが失敗し要求されたルート情報が見つかっていないと判断すると、当該ＲＣは前記のルート照会要求に従ってルート照会要求シグナリングを作成し、ＮＥ２のＰＣによって、ＲＣとＰＣと完全なＲＤＢとを含む他のリモートネットワーク素子ＮＥ３に送信し、前記のＮＥ３のＰＣは前記のルート照会要求シグナリングを受信した後に、当該シグナリングをＮＥ３のＲＣに転送し、前記のＮＥ３のＲＣは、受信されたルート照会要求に従い、ルートアルゴリズムをコールし、本ネットワーク素子のＲＤＢに基づいてルート演算を行い、成功した後に、ルート演算結果シグナリングを作成し、前記のＮＥ３のＰＣは、ＮＥ１のＣＣが前記ルート演算結果を受信するまで、当該ルート演算結果シグナリングをネットワーク素子ＮＥ２に返送し、当該ネットワーク素子ＮＥ２によってネットワーク素子ＮＥ１に返送することをさらに含むことを特徴とする請求項３に記載の自動交換光ネットワークのルート照会方法。
【請求項５】
前記のリモートネットワーク素子ＮＥ２は、ＲＣとＰＣとＣＣと自動交換光ネットワークＡＳＯＮの完全なルート情報を有するルートデータベースＲＤＢとを備えると、前記のステップ（２）は、前記のＮＥ２のＰＣはルート照会要求シグナリングを受信した後に、当該シグナリングをＮＥ２のＣＣに転送し、当該ＮＥ２のＣＣは、ルート照会要求に従い、ＮＥ２のＲＣにＮＥ２のルート照会要求を送信し、当該ＮＥ２のＲＣは、ＮＥ２のＣＣから送信されたルート照会要求に従い、ルートアルゴリズムをコールし、ＮＥ２のＲＤＢに基づいてルート演算を行い、ルート結果をＮＥ２のＣＣに返送し、前記のＮＥ２のＣＣは、受信された前記のルート結果に従い、ルート演算結果シグナリングを作成し、ＮＥ２のＰＣによって、ルート照会要求を発した前記のネットワーク素子ＮＥ１に当該シグナリングを返送することを含むことを特徴とする請求項１に記載の自動交換光ネットワークのルート照会方法。
【請求項６】
前記のステップ（２）は、前記のＮＥ２のＲＣはルート演算を行った後に、ルートが失敗し要求されたルート情報が見つかっていないと判断すると、当該ＲＣは前記のルート照会要求に従ってルート照会要求シグナリングを作成し、ＮＥ２のＰＣによって、ＲＣとＰＣと完全なＲＤＢとを含む他のリモートネットワーク素子ＮＥ３に送信し、前記のＮＥ３のＰＣは前記のルート照会要求シグナリングを受信した後に、当該シグナリングをＮＥ３のＲＣに転送し、前記のＮＥ３のＲＣは、受信されたルート照会要求に従い、ルートアルゴリズムをコールし、本ネットワーク素子のＲＤＢに基づいてルート演算を行い、成功した後に、ルート演算結果シグナリングを作成し、前記のＮＥ３のＰＣは、当該ルート演算結果シグナリングをネットワーク素子ＮＥ２に返送し、ＮＥ１のＣＣが前記ルート演算結果を受信するまで、ＮＥ２のＣＣによりルート演算結果に従い再びルート演算結果シグナリングを作成してネットワーク素子ＮＥ１に送信することをさらに含むことを特徴とする請求項５に記載の自動交換光ネットワークのルート照会方法。
【請求項７】
前記のルートアルゴリズムは、制限に基づく最短経路アルゴリズムＣＳＰＦであることを特徴とする請求項３〜６のいずれに記載の自動交換光ネットワークのルート照会方法。
【発明の詳細な説明】
【技術分野】
【０００１】
本発明は、光ネットワーク分野に関し、特に、自動交換光ネットワークのルート照会方法に関する。
【背景技術】
【０００２】
光ネットワーク、例えばＯＴＮ（Ｏｐｔｉｃａｌ  ｔｒａｎｓｍｉｓｓｉｏｎ  ｎｅｔｗｏｒｋ、光転送ネットワーク）や、ＷＤＮ（Ｗａｖｅｌｅｎｇｔｈ−ｄｉｖｉｓｉｏｎ  ｍｕｌｔｉｐｌｅｘｉｎｇ、波長分割多重）、ＳＤＨ（Ｓｙｎｃｈｒｏｎｏｕｓ  ｄｉｇｉｔａｌ  ｈｉｅｒａrｃｈｙ、同期デジタルハイアラーキ）、ＳＯＮＥＴ（Ｓｙｎｃｈｒｏｎｏｕｓ  ｏｐｔｉｃａｌ  ｎｅｔｗｏｒｋ、同期光ネットワーク）伝送ネットワークは、電気通信分野において広く利用されている。
【０００３】
最近、自動交換光ネットワーク（Ａｕｔｏｍａｔｉｃ  ｓｗｉｔｃｈｅｄ  ｏｐｔｉｃａｌ  ｎｅｔｗｏｒｋ、略してＡＳＯＮ）は光ネットワーク分野における研究の中心となる。ＩＴＵ−Ｔ  Ｇ．８０８０勧告において、ＡＳＯＮという概念が提出され、特定の制御プレーン（Ｃｏｎｔｒｏｌ  Ｐｌａｎｅ、略してＣＰ）を設置することによってＡＳＯＮネットワークの機能を行う。ＩＴＵ−Ｔ  Ｇ．７７１３勧告において、ＡＳＯＮネットワークにおける分散化（分布式）呼びとアクセスの実現構築が規定され、呼びとアクセスの自動設立、及び変更と削除などに対する実現規則が提供された。ＩＴＵ−Ｔ  Ｇ．７７１５などの標準は、アクセスのルート照会に対して実現モジュールと形態と方法を提供した（以下の部分において記載されるルート照会は、特別な説明を除き、全てはアクセスのルート照会である）。
【０００４】
しかしながら、現在発表されたＩＴＵ−Ｔ  Ｇ．７７１５、ＩＴＵ−Ｔ  Ｇ．７７１５．１のいずれも図１に示すモジュールを利用する。このようなルートモジュールは、あるＡＳＯＮネットワーク素子（英語略称ＮＥ）はアクセスルートの照会が必要である時に、アクセス制御（設立、削除、変更などを含む）を行うアクセス制御手段（略してＣＣ）は、ルート照会と演算とを行うルート制御手段（略してＲＣ）にアクセスのルート照会要求（略してＲｏｕｔｅ  Ｒｅｑｕｅｓｔ）を発し、ＲＣは要求に従い、ルートアルゴリズム（よく利用されるルートアルゴリズムは制限に基づく最短経路アルゴリズム、略してＣＳＰＦ）をコールし、当該アルゴリズムは本ノードのルートデータベース（略してＲＤＢ）に基づいてルート演算を行い、ルート演算結果（略してＲｏｕｔｅ  Ｒｅｓｐｏｎｓｅ）をＣＣに返送する。
【０００５】
しかしながら、一般的に、１つのノードのＲＤＢが完全なＡＳＯＮネットワーク全体のルート情報を有することは難しいので、図１に示すモジュール方法がルート照会と演算との要求を満たすことができない場合は多い。そのため、最近係る技術提案において、図２に示すモジュールが提出された。当該モジュールは、図１に示すモジュールを元に発展し、即ち、あるＡＳＯＮネットワーク素子ＮＥのＣＣがＲＣにアクセスのルート照会要求（Ｒｏｕｔｅ  Ｒｅｑｕｅｓｔ）を発する時に、ＲＣは要求に従ってＣＳＰＦをコールし、本ノードのＲＤＢに基づいてルート演算を行う。係るルートを照会することができないと、ローカルＲＣはプロトコル制御手段（略してＰＣ）によって、より完全なＲＤＢを有する係る他のＡＳＯＮネットワーク素子にＲｏｕｔｅ  Ｒｅｑｕｅｓｔを伝送する。係るＡＳＯＮネットワーク素子のＲＣはＰＣによってこのＲｏｕｔｅ  Ｒｅｑｕｅｓｔを受信し、ＣＳＰＦをコールし、本ノードのＲＤＢに基づいてルート演算を行い、要求を発したＡＳＯＮネットワーク素子に結果を返送する。このＡＳＯＮネットワーク素子はルート結果をＣＣに返送する。
【０００６】
ＩＴＵ−Ｔ  Ｇ．８０８０において、ＡＳＯＮ制御プレーンが柔軟な構築を利用することは勧告され、即ち、どのようなＡＳＯＮネットワーク素子においても、ある手段、例えばＲＣが欠けている可能性はある。そして、ルート照会が必要であるＡＳＯＮネットワーク素子が、ＲＣがない場合、図１または図２に示す方法を利用しても、ルート照会の課題を解決することができない。
【発明の概要】
【発明が解決しようとする課題】
【０００７】
本発明が解決する課題は、自動交換光ネットワークのルート照会方法を提供することであり、あるＡＳＯＮネットワーク素子においてＲＣが欠けている時のルート照会問題を解決することである。
【課題を解決するための手段】
【０００８】
本発明は、プロトコル制御手段ＰＣとアクセス制御手段ＣＣとが含まれ、ルート制御手段ＲＣが欠けているネットワーク素子によるルート照会を実現するための自動交換光ネットワークのルート照会方法において、
（１）前記のＲＣが欠けているネットワーク素子ＮＥ１は、本ネットワーク素子ＣＣがルートを照会することが必要である時に、ルート照会要求シグナリングをリモートネットワーク素子ＮＥ２に送信し、
（２）前記のネットワーク素子ＮＥ２はルート照会要求に基づいてルート結果を取得し、ルート結果シグナリングによって前記のルート照会要求を発したネットワーク素子ＮＥ１にルート結果を返送し、
（３）ネットワーク素子ＮＥ１のＰＣがルート結果シグナリングを受信した後、ルート結果を本ネットワーク素子ＣＣに返送するステップを含む方法を提供する。
【０００９】
さらに、前記のステップ（１）は、前記のネットワーク素子ＮＥ１は、ＣＣはルートを照会することが必要であると判断する時に、ＣＣによりルート照会要求シグナリングを作成し、当該ネットワーク素子ＮＥ１のＰＣによって、リモートネットワーク素子ＮＥ２に前記のルート照会要求シグナリングを送信することを含む。
【００１０】
さらに、前記のリモートネットワーク素子ＮＥ２は、ＲＣとＰＣと自動交換光ネットワークＡＳＯＮの完全なルート情報を有するルートデータベースＲＤＢとを備えると、前記のステップ（２）は、前記のＮＥ２のＰＣはルート照会要求シグナリングを受信した後に、該当シグナリングをＮＥ２のＲＣに転送し、前記のＮＥ２のＲＣは、ルート照会要求に従い、ルートアルゴリズムをコールし、ＮＥ２のＲＤＢに基づいてルート演算を行い、ルート演算結果シグナリングを作成し、ＮＥ２のＰＣによって、ルート照会要求を発したＮＥ１に当該ルート演算結果シグナリングを返送することを含む。
【００１１】
さらに、前記のステップ（２）は、前記のＮＥ２のＲＣはルート演算を行った後に、ルートが失敗し要求されたルート情報が見つかっていないと判断すると、当該ＲＣは前記のルート照会要求に従ってルート照会要求シグナリングを作成し、ＮＥ２のＰＣによって、ＲＣとＰＣと完全なＲＤＢとを含む他のリモートネットワーク素子ＮＥ３に送信し、前記のＮＥ３のＰＣは前記のルート照会要求シグナリングを受信した後に、当該シグナリングをＮＥ３のＲＣに転送し、前記のＮＥ３のＲＣは、受信されたルート照会要求に従い、ルートアルゴリズムをコールし、本ネットワーク素子のＲＤＢに基づいてルート演算を行い、成功した後に、ルート演算結果シグナリングを作成し、前記のＮＥ３のＰＣは、ＮＥ１のＣＣが前記ルート演算結果を受信するまで、当該ルート演算結果シグナリングをネットワーク素子ＮＥ２に返送し、当該ネットワーク素子ＮＥ２によってネットワーク素子ＮＥ１に返送することをさらに含む。
【００１２】
さらに、前記のリモートネットワーク素子ＮＥ２は、ＲＣとＰＣとＣＣと自動交換光ネットワークＡＳＯＮの完全なルート情報を有するルートデータベースＲＤＢとを備えると、前記のステップ（２）は、前記のＮＥ２のＰＣはルート照会要求シグナリングを受信した後に、当該シグナリングをＮＥ２のＣＣに転送し、当該ＮＥ２のＣＣは、ルート照会要求に従い、ＮＥ２のＲＣにＮＥ２のルート照会要求を送信し、当該ＮＥ２のＲＣは、ＮＥ２のＣＣから送信されたルート照会要求に従い、ルートアルゴリズムをコールし、ＮＥ２のＲＤＢに基づいてルート演算を行い、ルート結果をＮＥ２のＣＣに返送し、前記のＮＥ２のＣＣは、受信された前記のルート結果に従い、ルート演算結果シグナリングを作成し、ＮＥ２のＰＣによって、ルート照会要求を発した前記のネットワーク素子ＮＥ１に該当シグナリングを返送することを含む。
【００１３】
さらに、前記のステップ（２）は、前記のＮＥ２のＲＣはルート演算を行った後に、ルートが失敗し要求されたルート情報が見つかっていないと判断すると、当該ＲＣは前記のルート照会要求に従ってルート照会要求シグナリングを作成し、ＮＥ２のＰＣによって、ＲＣとＰＣと完全なＲＤＢとを含む他のリモートネットワーク素子ＮＥ３に送信し、前記のＮＥ３のＰＣは前記のルート照会要求シグナリングを受信した後に、当該シグナリングをＮＥ３のＲＣに転送し、前記のＮＥ３のＲＣは、受信されたルート照会要求に従い、ルートアルゴリズムをコールし、本ネットワーク素子のＲＤＢに基づいてルート演算を行い、成功した後に、ルート演算結果シグナリングを作成し、前記のＮＥ３のＰＣは、当該ルート演算結果シグナリングをネットワーク素子ＮＥ２に返送し、ＮＥ１のＣＣが当該ルート演算結果を受信するまで、ＮＥ２のＣＣによりルート演算結果に従いルート演算結果シグナリングを作成してネットワーク素子ＮＥ１に送信することをさらに含む。
【００１４】
さらに、上述のルートアルゴリズムは、制限に基づく最短経路アルゴリズムＣＳＰＦである。
【発明の効果】
【００１５】
本発明に係る方法によれば、シグナリングによってリモートネットワーク素子とインターアクト(交互)し、本ネットワーク素子においてＲＣが欠けている時のルート照会作業を行うと共に、従来のルート照会技術に対して両立することができ、簡潔かつ信頼性が高い長所を有する。
【図面の簡単な説明】
【００１６】
【図１】従来の技術において１つのＡＳＯＮネットワーク素子のルート照会の概要図
【図２】ＡＳＯＮの１つのネットワーク素子は完全なＲＤＢを有していないため、リモートＡＳＯＮネットワーク素子と連携モードによってルート照会を実現することが必要であることの概要図
【図３】ＲＣが欠けているＡＳＯＮネットワーク素子はリモートＡＳＯＮネットワーク素子とＣＣ−ＲＣ連携モードによってルート照会を実現する概要図
【図４】ＲＣが欠けているＡＳＯＮネットワーク素子はリモートＡＳＯＮネットワーク素子とＣＣ−ＣＣ連携モードによってルート照会を実現する概要図
【図５】図３に示したＲＣが欠けているＡＳＯＮネットワーク素子に基づき、リモートの複数のＡＳＯＮネットワーク素子と連携モードによってルート照会を実現する概要図
【図６】図４に示したＲＣが欠けているＡＳＯＮネットワーク素子に基づき、リモートの複数のＡＳＯＮネットワーク素子と連携モードによってルート照会を実現する概要図
【発明を実施するための形態】
【００１７】
以下は、図面と実施例を合わせて本発明についてさらに詳しく説明する。
【００１８】
本発明は、現在ＲＣが欠けているＡＳＯＮネットワーク素子がルート照会機能を実現できない課題を解決するために、従来の技術に基づき実現対策を提出する。本発明の中心は、ＡＳＯＮネットワーク素子の従来のＣＣ手段によって、リモートネットワーク素子と連携モードによりルート照会機能を行う。その特徴は、ＲＣが欠けているＡＳＯＮネットワーク素子はルートを照会する必要がある時に、そのＣＣはルート照会要求をプロトコルシグナリング（例えば、開放式最短経路プロトコル、略してＯＳＰＦ−ＴＥ、リソース予備プロトコル、略してＲＳＶＰ−ＴＥ等）によってリモートＡＳＯＮネットワーク素子に送信することと、リモートＡＳＯＮネットワーク素子のＣＣ又はＲＣはこの要求を受信した後に、本ノードによってルート演算を行うことと、その後、要求を発したネットワーク素子にルート結果を返送することを含む。
【００１９】
図１は従来の技術において１つのＡＳＯＮネットワーク素子はローカルＣＣとＲＣによってインターアクトしてルート照会を行う概要図であり、図２は１つのネットワーク素子は完全なＲＤＢを有していないため、リモートＡＳＯＮネットワーク素子と連携してルート照会を行うことが必要であることの概要図であり、図３はローカルＣＣによってリモートＡＳＯＮネットワーク素子のＲＣと直接にインターアクトし、リモートＡＳＯＮネットワーク素子のＲＣによってルート照会を行う概要図であり、図４はＲＣが欠けているＡＳＯＮネットワーク素子はローカルＣＣによってリモートＡＳＯＮネットワーク素子のＣＣとインターアクトし、リモートＡＳＯＮネットワーク素子のＲＣによってルート照会を行う概要図であり、図５は図３に基づいてさらに拡大したルート照会の概要図であり、図６は図４に基づいてさらに拡大したルート照会の概要図である。
【００２０】
以下は図１と図２と図３とを合わせ、図３に示すＮＥ１とＮＥ２との二つのネットワーク素子におけるＮＥ１はＲＣが欠けており、ＮＥ１はルート照会機能を行う必要があることを例として、本発明に記載された方法の実施案を説明する。
【００２１】
当該具体的な実施案１は、
ステップ３０１：図３に示すＮＥ１において、そのＣＣはルートを照会する必要があると判断すると、次のステップに転移し、ルートを照会する必要がないと、検出判断を続き、
【００２２】
ステップ３０２：ＮＥ１のＣＣはルート照会要求のシグナリングを作成し、本ネットワーク素子ＮＥ１のＰＣによってネットワーク素子ＮＥ２に当該ルート照会要求シグナリングを送信し、
【００２３】
ステップ３０３：ＮＥ２のＰＣがＮＥ１のルート照会要求シグナリングを受信した後に、ＰＣは当該シグナリングをＮＥ２のＲＣに転送し、
【００２４】
ステップ３０４：ＮＥ２のＲＣは受信されたルート照会要求に従い、ＣＳＰＦをコールし、本ネットワーク素子ノードのＲＤＢに基づいてルート演算を行い、
【００２５】
ステップ３０５：ＮＥ２のＲＣはルート結果に従いシグナリングを作成、ＰＣによって、当該ルート結果が積載されるシグナリングをＮＥ１に送信し、
【００２６】
ステップ３０６：ＮＥ１のＰＣはフィードバックされたルート結果シグナリングを受信した後に、係るルート結果を本ノードＣＣに伝送するステップを含む。
【００２７】
以下は図１と図２と図４とを合わせ、図４に示すＮＥ１とＮＥ２との二つのネットワーク素子におけるＮＥ１はＲＣが欠けており、ＮＥ１はルート照会機能を行う必要があることを例として、本発明に記載された方法の第二実施案を説明する。
【００２８】
当該具体的な実施案２は、
ステップ４０１：図４に示すＮＥ１において、そのＣＣはルートを照会する必要があると判断して、次のステップに転移し、
【００２９】
ステップ４０２：ＮＥ１のＣＣはルート照会要求のシグナリングを作成し、ローカルのＰＣによってＮＥ２に当該ルート照会要求シグナリングを送信し、
【００３０】
ステップ４０３：ＮＥ２のＰＣがＮＥ１のルート照会要求シグナリングを受信し、本ネットワーク素子ＮＥ２のＰＣは当該シグナリングを本ネットワーク素子のＣＣに転送し、
【００３１】
ステップ４０４：ＮＥ２のＣＣ手段は受信されたシグナリングに従い、ＮＥ１のルート照会要求をＲＣに送信し、ＲＣはルートアルゴリズムをコールし、本ネットワーク素子ノードのＲＤＢに基づいてルート演算を行い、
【００３２】
ステップ４０５：ＮＥ２のＲＣはルート結果を本ネットワーク素子のＣＣに返送し、当該ＣＣは当該結果に従ってシグナリングを作成し、ローカルＰＣによって、当該ルート結果が積載されるシグナリングをＮＥ１に送信し、
【００３３】
ステップ４０６：ＮＥ１のＰＣはルートフィードバックを受信した後に、係るルート結果を本ネットワーク素子ノードＣＣに伝送するステップを含む。
【００３４】
以下は図１と図２と図３と図５を合わせ、図５に示すＮＥ１とＮＥ２とＮＥ３との三つのネットワーク素子において、ＮＥ１はＲＣが欠けており、ＮＥ２のＲＤＢが不完全であり、ＮＥ１はルート照会機能を行う必要があることを例として、本発明に記載された方法の実施案３を説明する。  
【００３５】
具体的な実施案３は、
ステップ５０１：図５に示すＮＥ１において、そのＣＣはルートを照会する必要があると判断して、次のステップに転移し、
【００３６】
ステップ５０２：ＮＥ１のＣＣはルート照会要求のシグナリングを作成し、ローカルのＰＣによってＮＥ２に送信し、
【００３７】
ステップ５０３：ＮＥ２のＰＣがＮＥ１のルート照会要求シグナリングを受信し、当該ＰＣは当該シグナリングをＮＥ２のＲＣに転送し、
【００３８】
ステップ５０４：ＮＥ２のＲＣは受信されたルート照会要求に従い、ＣＳＰＦをコールし、本ネットワーク素子ノードのＲＤＢに基づいてルート演算を行い、
【００３９】
ステップ５０５：ＮＥ２のＲＣはルート結果を判断し、結果が照会失敗であり、失敗原因はローカルＲＤＢが不完全であると、ＲＣは再びこのルート照会要求のシグナリングを作成して、ＰＣによってＮＥ３に送信し、
【００４０】
ステップ５０６：ＮＥ３のＰＣはルート照会要求のシグナリングを受信し、ＮＥ３のＰＣは当該シグナリングをＮＥ３のＲＣ手段に転送し、
【００４１】
ステップ５０７：ＮＥ３のＲＣは受信されたルート照会要求に従い、ルートアルゴリズムをコールし、本ネットワーク素子ノードＲＤＢに基づいてルート演算を行い、
【００４２】
ステップ５０８：ＮＥ３のＲＣはルート照会が成功したと判断し、ルート結果に従いシグナリングを作成し、ＰＣによって、当該ルート結果が積載されるシグナリングをＮＥ２に送信し、最後はＮＥ２によって、最初にルート照会要求を発したＮＥ１に伝送し、
【００４３】
ステップ５０９：ＮＥ１のＰＣはルートフィードバックを受信した後に、係るルート結果を本ネットワーク素子ノードＣＣに伝送するステップを含む。
【００４４】
以下は図１と図２と図４と図６を合わせ、図６に示すＮＥ１とＮＥ２とＮＥ３との三つのネットワーク素子において、ＮＥ１はＲＣが欠けており、ＮＥ２のＲＤＢが不完全であり、ＮＥ１はルート照会機能を行う必要があることを例として、本発明に記載された方法の実施案４を説明する。  
【００４５】
具体的な実施案４は、
ステップ６０１：図６に示すＮＥ１において、そのＣＣはルートを照会する必要があると判断して、次のステップに転移し、
【００４６】
ステップ６０２：ＮＥ１のＣＣはルート照会要求のシグナリングを作成し、ローカルのＰＣによってＮＥ２に送信し、
【００４７】
ステップ６０３：ＮＥ２のＰＣがＮＥ１のルート照会要求シグナリングを受信し、ＮＥ２のＰＣは当該シグナリングをＮＥ２のＣＣに転送し、
【００４８】
ステップ６０４：ＮＥ２のＣＣ手段は受信されたシグナリングに従い、ＮＥ１のルート照会要求をＮＥ２のＲＣに送信し、当該ＲＣはルートアルゴリズムをコールし、本ネットワーク素子ノードＲＤＢに基づいてルート演算を行い、
【００４９】
ステップ６０５：ＮＥ２のＲＣはルート結果を判断し、結果が照会失敗であり、失敗原因はローカルＲＤＢが不完全であると、ＲＣは再びこのルート照会要求のシグナリングを作成して、ＰＣによってＮＥ３に送信し、
【００５０】
ステップ６０６：ＮＥ３のＰＣはルート照会要求のシグナリングを受信し、ＮＥ３のＰＣは当該シグナリングをＮＥ３のＲＣ手段に転送し、
【００５１】
ステップ６０７：ＮＥ３のＲＣは受信されたルート照会要求に従い、ルートアルゴリズムをコールし、本ネットワーク素子ノードＲＤＢに基づいてルート演算を行い、
【００５２】
ステップ６０８：ＮＥ３のＲＣはルート照会が成功したと判断し、このＲＣはルート結果に従いシグナリングを作成し、ＰＣによって、当該ルート結果が積載されるシグナリングをＮＥ１の方向に送信し、ＮＥ２に伝送された時に、このＮＥ２のＲＣはルート結果を本ネットワーク素子ＣＣに返送し、再びＣＣがこの結果に従いシグナリングを作成し、ＰＣによって当該ルート結果が積載されるシグナリングをＮＥ１に送信し、
【００５３】
ステップ６０９：ＮＥ１のＰＣはルートフィードバックを受信した後に、係るルート結果を本ネットワーク素子ノードＣＣに伝送するステップを含む。
【００５４】
本発明において、ＮＥ２はＮＥ１の要求を受信した後に、ルート失敗と演算すると、選択できる他のＮＥがおらず、ルート照会失敗の応答を一つ返送する場合を除き、要求を他のＮＥに送信し続けるべきである。リモートネットワーク素子ＮＥ２においてもＲＣを有していないと、ＮＥ２はさらに次のリモートネットワーク素子ＮＥ３に要求を送信することができ、或いは、ルート照会失敗を返送する。
【００５５】
前記の各具体的な実施形態から分析すると、本発明は、今ルートを照会することが必要なＡＳＯＮネットワーク素子はＲＣを有していないことを前提として、当該ネットワーク素子のＣＣによって、プロトコルシグナリングによりリモートネットワーク素子のＣＣ或いはＲＣとインターアクトし、１つのリモートネットワーク素子或いは複数のリモートネットワーク素子によって、ルート照会作業を行い、簡潔かつ信頼性が高い長所を有することがわかる。
【００５６】
なお、本発明は他に幾つかの実施例があり、本発明の要旨と実質を逸脱しない範囲で、本分野の当業者ならば本発明に基づき相応な変更と変形が色々できるが、その相応な変更と変形は本発明における請求項の保護範囲に属すべきである。
【産業上の利用可能性】
【００５７】
本発明において、プロトコル制御手段ＰＣとアクセス制御手段ＣＣとが含まれ、ルート制御手段ＲＣが欠けているネットワーク素子によるルート照会を実現するための自動交換光ネットワークのルート照会方法が開示され、前記のＲＣが欠けているネットワーク素子ＮＥ１はルート照会要求シグナリングをリモートネットワーク素子ＮＥ２に送信し、ＮＥ２はルート照会要求に基づいてルート結果を取得し、ルート結果シグナリングによって前記のルート照会要求を発したネットワーク素子ＮＥ１にルート結果を返送し、ネットワーク素子ＮＥ１のＰＣがルート結果シグナリングを受信した後、ルート結果を本ネットワーク素子ＣＣに返送する。本発明に係る方法は、プロトコルシグナリングによって、リモートネットワーク素子のＣＣ或いはＲＣとインターアクトし、１つのリモートネットワーク素子或いは複数のリモートネットワーク素子によって、ルート照会作業を行い、簡潔かつ信頼性が高い長所を有し、データ分野及び自動交換光ネットワークにおいて適用することができる。
【図１】
0004778586.tif 000002
【図２】
0004778586.tif 000003
【図３】
0004778586.tif 000004
【図４】
0004778586.tif 000005
【図５】
0004778586.tif 000006
【図６】
0004778586.tif 000007